(57)【特許請求の範囲】
【請求項１】
背面に表示器が配置され中央に前記表示器を露出させる孔が設けられた目盛部を指示する指針を備えた指針装置において、
前記指針が、
前記表示器の背面に配置されたモータの回転軸に固定され前記回転軸の径方向に沿って延在する基部と、
前記基部の正面側に固定される基板と、
前記基板に搭載され前記径方向外側に向かって光を出射する光源と、
一端が前記光源と対向し他端が前記径方向外側に向かって延在する前記基部上に搭載されて固定された第１部材、前記第１部材の他端から正面に向かって立設する第２部材、前記第２部材の正面側の端部から前記径方向内側に向かって延在する第３部材、前記第３部材の前記径方向内側の端部から正面に向かって立設する第４部材、及び、前記第４部材の前記軸方向正面側の端部から前記径方向外側に向かって延在する指針部が、一体に設けられた導光部と、を有する
ことを特徴とする指針装置。
【請求項２】
前記第１部材の前記径方向外側の端部に、前記第１部材を導光する光を正面に向けて反射させる前記径方向外側に向かうに従って正面に近づくテーパ状の第１反射面が、設けられ、
前記第２部材の正面側の端部に、前記第２部材を導光する光を前記径方向内側に向けて反射させる前記径方向内側に向かうに従って正面に近づくテーパ状の第２反射面が、設けられ、
前記第３部材の前記径方向内側の端部に、前記第３部材を導光する光を正面に向けて反射させる前記径方向内側に向かうに従って正面に近づくテーパ状の第３反射面が、設けられ、
前記第４部材の正面側の端部に、前記第４部材を導光する光を前記径方向外側に向かって反射させる前記径方向外側に向かうに従って正面に近づくテーパ状の第４反射面が、設けられた
ことを特徴とする請求項１に記載の指針装置。
【請求項３】
前記第１部材には、正面に向かって凸となる係止突起が設けられ、
前記基部には、前記第１部材が搭載される底壁部と、互いの間に前記第１部材を位置付ける前記底壁部の端部から立設する一対の立壁部と、一端が前記一対の立壁部に支持され他端が前記係止突起と係止するアームと、が設けられている
ことを特徴とする請求項１又は２項に記載の指針装置。
【請求項４】
請求項１〜３何れか１項に記載の指針装置と、
外縁が前記第１部材と前記第３部材との間に位置付けられる表示器と、
中央に前記表示器を露出する孔が設けられ、その内縁が前記第３部材と前記指針部との間に位置付けられる目盛部と、
を備えたことを特徴とする表示装置。
【発明の詳細な説明】
【技術分野】
【０００１】
本発明は、指針装置及び表示装置に係り、特に、回転指示用の目盛部の中央にＬＣＤなどの表示器を配置した表示装置に関するものである。
【背景技術】
【０００２】
上述した表示装置として、例えば、通常の回転指示用の目盛部の正面側に、表示器を配置するものが考えられている。このような配置とすれば、指針によって表示器の視認が邪魔されることなく、目盛部の中央に表示器を配置することができる。
【０００３】
しかしながら、目盛部が例えば車速などの重要な情報を表示し、表示器が現在時刻などの比較的重要でない情報を表示するような場合など、目盛部を表示器より正面側に配置して、目盛部の視認性を高めたいという要望があった。
【０００４】
そこで、このような要望に応えるため、指針の先端部を回転軸に向かって折り返した後にさらに回転軸から離れた側に折り返して異形に形成することにより、表示器と干渉させることなく目盛部上を指示させる指針装置が提案されている。
【０００５】
このように回転軸を中心に回転する指針を自発光させるには、回転軸を囲むようにＬＥＤ光源を配置する必要があり、指針回転時の照明ムラを無くすことが困難である、という問題があった。また、このような複雑な形状の指針を自発光させるには、回転軸側から入射した光を指針先端まで導くために数多くの反射面を設ける必要がある。このため、反射による光の減衰が大きく十分な発光輝度が得られない、という問題があった。
【０００６】
そこで、上記問題を解決するため、例えば図６及び図７に示すような表示装置が提案されている（特許文献１）。同図に示すように、表示装置１００は、表示器としての液晶ディスプレイ（ＬＣＤ）１０１と、目盛部１０２と、メイン基板１０３と、モータ１０４と、指針１０５と、を備えている。上記ＬＣＤ１０１は、ウォーニングや現在時刻などの情報が表示されている。
【０００７】
上記目盛部１０２には、正面に後述する指針１０５が指示する指標（例えば数字）が印刷などにより形成されている。上記メイン基板１０３は、ＬＣＤ１０１の背面に設けられていてる。モータ１０４は、モータ本体１０４Ａがメイン基板１０３の背面側に搭載され、回転軸１０４Ｂがメイン基板１０３の正面側に突出している。上記指針１０５は、基板１０５Ａと、ＬＥＤ光源１０５Ｂと、導光部１０５Ｃと、取付部１０５Ｄ（図７）と、バランスウエイト部１０５Ｅと、を備えている。上記基板１０５Ａは、回転軸１０４Ｂに取り付けられ回転軸１０４Ｂの径方向外側に向かって延在する。
【０００８】
上記ＬＥＤ光源１０５Ｂは、上記基板１０５Ａの径方向外側の端部の正面側に搭載されている。上記ＬＥＤ光源１０５Ｂは、正面に向かって光を出射する。上記導光部１０５Ｃは、導光性の部材から構成されていて、一端がＬＥＤ光源１０５Ｂと対向し他端が回転軸１０４Ｂの軸方向正面側に向かって立設する第１部材１０５Ｃ−１と、第１部材１０５Ｃ−１の他端から回転軸１０４Ｂの径方向内側に向かって延在する第２部材１０５Ｃ−２と、第２部材１０５Ｃ−２の径方向内側の端部から軸方向正面側に向かって立設する第３部材１０５Ｃ−３と、第３部材１０５Ｃ−３の軸方向正面側の端部から径方向外側に向かって延在する指針部１０５Ｃ−４と、が一体に設けられている。
【０００９】
上記取付部１０５Ｄは、図７に示すように、第１部材１０５Ｃ−１の一端が圧入される底壁部１０５Ｄ−１と、底壁部１０５Ｄ−１の両端から立設する一対の立壁部１０５Ｄ−２と、が設けられている。この一対の立壁部１０５Ｄ−２には各々、互いに対向する面にスライド溝が設けられていて、そのスライド溝に基板１０５Ａの両端を挿入することにより、導光部１０５Ｃを基板１０５Ａに固定することができる。上記バランスウエイト部１０５Ｅは、基板１０５Ａの回転軸１０４ＢよりもＬＥＤ光源１０５Ｂから離れた側の背面に取り付けられいて、回転軸１０４Ｂにかかる基板１０５Ａ、ＬＥＤ光源１０５Ｂ及び導光部１０５Ｃの重量を相殺するためのウエイトである。
【００１０】
上述した表示装置１００は、回転軸１０４Ｂに固定された基板１０５Ａ上にＬＥＤ光源１０５Ｂを設けることにより、指針１０５の回転と同期してＬＥＤ光源１０５Ｂが回転するので、回転時の指針１０５の照明ムラをなくすことができる。また、図６に示すように、ＬＥＤ光源１０５Ｂからの光Ｌを３つの反射面Ｍ１１、Ｍ１２、Ｍ１３で反射させて導光部１０５Ｃの先端に導くので、反射回数を減らすことができ、導光部１０５Ｃの輝度が向上する。
【００１１】
しかしながら、上述した指針１０５は、回転軸１０４Ｂを基準として取付部１０５Ｄ側に重心があり、バランスがとりにくい。このため、指針１０５の回転時に導光部１０５Ｃと取付部１０５Ｄとの間のガタツキ、取付部１０５Ｄと基板１０５Ａとの間のガタツキが生じやすくなり、指針１０５の指示精度が悪化する恐れがある。また、上述したガタツキによりＬＥＤ光源１０５Ｂと導光部１０５Ｃとの位置関係がズレるため導光部１０５Ｃの輝度が低下する恐れもある。
【００１２】
また、上記取付部１０５Ｄと基板１０５Ａとのガタツキを軽減するために、取付部１０５Ｄを大きくすることが考えられるが、取付部１０５Ｄを大きくするとその分指針１０５の重量が重くなり、軽量化が図りにくかった。また、ＬＥＤ光源１０５Ｂを基板１０５Ａ上の回転軸１０４Ｂから遠い位置に搭載する必要があり、基板１０５Ａの重心が回転軸１０４Ｂから離れた側に偏ってしまうためウエイト部１０５Ｅの質量を大きくする必要があり、これも指針１０５の軽量化が図りにくい原因となっていた。
【００１３】
さらに、基板１０５Ａ自体も大きいので、指針１０５全体の重量が重くなってしまう。指針１０５全体の重量を軽くするために、基板１０５Ａのサイズを小さくすると指針１０５の剛性不足になり、基板１０５Ａの厚みを薄くすると指針１０５の剛性不足に加えて熱変形し易くなってしまう。これも軽量化が図りにくい原因となっていた。また、異形の指針としては、他に例えば特許文献２、３に示されたものが提案されている。
【先行技術文献】
【特許文献】
【００１４】
【特許文献１】特開２０１０−１９６１９号公報
【特許文献２】特開２００９−１２８２５７号公報
【特許文献３】特開２００８−２０３８７号公報
【発明の概要】
【発明が解決しようとする課題】
【００１５】
そこで、本発明は、軽量化を図りつつ導光部と光源との位置関係のズレを防止できる指針装置及び表示装置を提供することを課題とする。
【課題を解決するための手段】
【００１６】
上述した課題を解決するための請求項１記載の発明は、背面に表示器が配置され中央に前記表示器を露出させる孔が設けられた目盛部を指示する指針を備えた指針装置において、前記指針が、前記表示器の背面に配置されたモータの回転軸に固定され前記回転軸の径方向に沿って延在する基部と、前記基部の正面側に固定される基板と、前記基板に搭載され前記径方向外側に向かって光を出射する光源と、一端が前記光源と対向し他端が前記径方向外側に向かって延在する前記基部上に搭載されて固定された第１部材、前記第１部材の他端から正面に向かって立設する第２部材、前記第２部材の正面側の端部から前記径方向内側に向かって延在する第３部材、前記第３部材の前記径方向内側の端部から正面に向かって立設する第４部材、及び、前記第４部材の前記軸方向正面側の端部から前記径方向外側に向かって延在する指針部が、一体に設けられた導光部と、を有することを特徴とする指針装置に存する。
【００１７】
請求項２記載の発明は、前記第１部材の前記径方向外側の端部に、前記第１部材を導光する光を正面に向けて反射させる前記径方向外側に向かうに従って正面に近づくテーパ状の第１反射面が、設けられ、前記第２部材の正面側の端部に、前記第２部材を導光する光を前記径方向内側に向けて反射させる前記径方向内側に向かうに従って正面に近づくテーパ状の第２反射面が、設けられ、前記第３部材の前記径方向内側の端部に、前記第３部材を導光する光を正面に向けて反射させる前記径方向内側に向かうに従って正面に近づくテーパ状の第３反射面が、設けられ、前記第４部材の正面側の端部に、前記第４部材を導光する光を前記径方向外側に向かって反射させる前記径方向外側に向かうに従って正面に近づくテーパ状の第４反射面が、設けられたことを特徴とする請求項１に記載の指針装置に存する。
【００１８】
請求項３記載の発明は、前記第１部材には、正面に向かって凸となる係止突起が設けられ、前記基部には、前記第１部材が搭載される底壁部と、互いの間に前記第１部材を位置付ける前記底壁部の端部から立設する一対の立壁部と、一端が前記一対の立壁部に支持され他端が前記係止突起と係止するアームと、が設けられていることを特徴とする請求項１又は２項に記載の指針装置に存する。
【００１９】
請求項４記載の発明は、請求項１〜３何れか１項に記載の指針装置と、外縁が前記第１部材と前記第３部材との間に位置付けられる表示器と、中央に前記表示器を露出する孔が設けられ、その内縁が前記第３部材と前記指針部との間に位置付けられる目盛部と、を備えたことを特徴とする表示装置に存する。
【発明の効果】
【００２０】
以上説明したように請求項１及び４記載の発明によれば、導光部を略Ｓ字状にして径方向外側に向かって延在する第１部材を基部上に搭載して固定することにより、基部上に固定される第１部材上に導光部全体の重心を持ってくることができ導光部のバランスが良くなる。従って、導光部と基部との係止部を大きくしなくても互いの間のガタツキが生じにくくなり、軽量化を図りつつ導光部と光源との位置関係のズレを防止できる。また、光源を回転軸から近い位置に配置することができ、軽量化を図ることができる。さらに、基板の小型化を図って軽量化を図ることができる。
【００２１】
請求項２記載の発明によれば、第１〜第４反射面を設けることにより、導光部の発光輝度の向上を図ることができる。
【００２２】
請求項３記載の発明によれば、基部に一対の立壁部を設けることにより、基部に対する導光部の一対の立壁部の並び方向のガタツキを抑えることができる。しかも、第１部材の一端を基部の径方向外側の端部から底壁部上に重ねて径方向内側に向かってスライドさせることにより、第１部材の係止突起と基部のアームとを係止させることができ、基部に対する導光部の固定（組付け）を容易に行うことができる。
【図面の簡単な説明】
【００２３】
【図１】本発明の指針装置を組み込んだ表示装置の一実施形態を示す断面図である。
【図２】図１の部分拡大図である。
【図３】図１に示す指針装置の斜視図である。
【図４】図３に示す指針装置の分解斜視図である。
【図５】基板の基部への取付を説明するための説明図である。
【図６】従来の表示装置の一例を示す断面図である。
【図７】従来の表示装置の一例を示す斜視図である。
【発明を実施するための形態】
【００２４】
以下、本発明の指針装置及び表示装置を図１〜図５に基づいて説明する。同図に示すように、表示装置１は、表示器としての液晶ディスプレイ（ＬＣＤ）２と、目盛部３と、指針装置４と、を備えている。図１に示すように、ＬＣＤ２は、例えば正面視略円形に設けられていて、ウォーニングや現在時刻などの情報が表示される。ＬＣＤ２は、ＬＣＤ本体５と、後述するメイン基板１０上に設けられたバックライト用のＬＥＤ光源６と、ＬＥＤ光源６から出射される光をＬＣＤ本体５の背面に導く導光板７と、から構成されている。
【００２５】
目盛部３は、図１に示すように、文字板８と、目盛リング部９と、を備えている。文字板８は、例えば中央にＬＣＤ２を露出させる略円形の孔８１が設けられた正面視リング（円弧）状に形成されている。文字板８は、正面に後述する指針１２が指示する指標（例えば数字）が印刷などにより形成されている。目盛リング部９は、透明樹脂などの導光板からなり、文字板８正面の外周縁を覆うようにリング（円弧）状に設けられている。目盛リング部９の正面には、凹状の目盛が設けられている。上述した目盛部３は、ＬＣＤ２の正面側に配置されていて、文字板８に設けられた略円形の孔８１を通じて正面からＬＣＤ２が視認可能となっている。
【００２６】
上記指針装置４は、メイン基板１０と、モータ１１と、指針１２と、電線としてのＦＰＣ（Flexible printed circuits）１３と、保護部材１４と、を備えている。上記メイン基板１０は、ＬＣＤ２の背面に設けられている。上記モータ１１は、モータ本体１５と、回転軸１６と、を有している。モータ本体１５は、メイン基板１０の背面に設けられている。回転軸１６は、メイン基板１０の正面側に突出して設けられている。
【００２７】
上記指針１２は、モータ１１の回転軸１６に固定され回転軸１６の径方向に沿って延在する長尺状の基部１７と、基部１７の正面に固定される基板１８と、基板１８の背面側に搭載され回転軸１６の径方向外側に向かって光Ｌを出射するＬＥＤ光源１９と、導光部２０と、光漏れ防止カバー２１、２２、２３と、を有している。
【００２８】
まず、上述した導光部２０について説明する。導光部２０は、各々棒状の第１部材２０１、第２部材２０２、第３部材２０３、第４部材２０４、及び、指針部２０５、が透明樹脂などの導光性材により一体に設けられている。上記第１部材２０１は、一端がＬＥＤ光源１９と対向し他端がＬＣＤ２の外側面よりも径方向外側まで延在している。また、上記第１部材２０１は、基部１７上に搭載されて固定されている。
【００２９】
さらに、上記第１部材２０１には、図４に示すように、正面に向かって凸となる係止突起２０１Ａが設けられていて、この係止突起２０１Ａが後述する基部１７に係止される。この係止突起２０１Ａは、径方向内側に向かうに従って背面に近づくテーパ面が設けられている。
【００３０】
上記第２部材２０２は、図１に示すように、第１部材２０１の他端から正面に向かってＬＣＤ２よりも正面側、かつ、目盛部３よりも背面側まで立設する。上記第２部材２０２の側面には、図３に示すように、幅方向に向かって凸となる一対の係止突起２０２Ａが設けられていて、この一対の係止突起２０２Ａが後述する係止突起１７４Ａに係止する。
【００３１】
上記第３部材２０３は、図１に示すように、第２部材２０２の正面側の端部から径方向内側に向かって目盛部３の内側面よりも径方向内側まで延在する。上記第４部材２０４は、第３部材２０３の径方向内側の端部から正面に向かって目盛部３よりも正面側まで立設する。上記指針部２０５は、第４部材２０４の正面側の端部から径方向外側に向かって延在し、目盛部３上を指示する。
【００３２】
また、導光部２０には、第１反射面Ｍ１と、第２反射面Ｍ２と、第３反射面Ｍ３と、第４反射面と、指針反射面Ｍ５と、が設けられている。図１に示すように、上記第１反射面Ｍ１は、第１部材２０１の径方向外側の端部に、受光面Ｍｊと対向する位置に設けられている。第１反射面Ｍ１は、第１部材２０１内を径方向外側に進む光Ｌを正面に向けて反射させて第２部材２０２内を導光させるように、径方向外側に向かうに従って正面に近づくテーパ状に設けられている。
【００３３】
上記第２反射面Ｍ２は、第２部材２０２の正面側の端部に、第１反射面Ｍ１と対向する位置に設けられている。第２反射面Ｍ２は、第２部材２０２内を正面に進む光Ｌを径方向内側に向けて反射させて第３部材２０３内を導光させるように、径方向内側に向かうに従って正面に近づくテーパ状に設けられている。第３反射面Ｍ３は、第３部材２０３の径方向内側の端部に、第２反射面Ｍ２と対向する位置に設けられている。第３反射面Ｍ３は、第３部材２０３内を径方向内側に進む光Ｌを正面に向けて反射させて第４部材２０４内を導光させるように、径方向内側に向かうに従って正面に近づくテーパ状に設けられている。
【００３４】
上記第４反射面Ｍ４は、第４部材２０４の正面側の端部に、第３反射面Ｍ３と対向する位置に設けられている。第４反射面Ｍ４は、第４部材２０４内を正面に進む光Ｌを径方向外側に向けて反射させて指針部２０５内を導光させるように、径方向外側に向かうに従って正面に近づくテーパ状に設けられている。上記指針反射面Ｍ５は、指針部２０５の背面に、径方向外側に向かうに従って正面に近づくテーパ状に設けられている。指針部２０５内を径方向外側に向かって進む光Ｌは、指針反射面Ｍ５で反射されて指針部２０５の正面から出射される。
【００３５】
以上の構成により、ＬＥＤ光源１９から出射された光Ｌは、径方向外側に向かって出射されて受光面Ｍｊから導光部２０内に導光して第１部材２０１を径方向外側に向かって進み、その後、第１反射面Ｍ１で反射して、第２部材２０２を正面に向かって進む。第２部材２０２を正面に向かって進む光Ｌは、第２反射面Ｍ２で反射して、第３部材２０３を径方向内側に向かって進み、その後、第３反射面Ｍ３で反射して、第４部材２０４を正面に向かって進む。第４部材２０４を正面に向かって進む光Ｌは、第４反射面Ｍ４で反射して、指針部２０５を径方向外側に向かって進む。指針部２０５を径方向外側に向かって進む光Ｌは、指針反射面Ｍ５で反射されて、指針部２０５の正面から出射される。これにより、正面から見ると指針部２０５の正面が光輝して視認される。
【００３６】
また、上述した導光部２０には、光漏れ防止カバー２１、２２、２３が設けられている。光漏れ防止カバー２１、２２、２３は、導光部２０の表面のうち指針部２０５の正面を除いた部分を覆うように設けられている。光漏れ防止カバー２１は、図４に示すように、第２部材２０２の径方向外側の側面と、第２部材２０２の幅方向両側の側面のうち正面側と、第２反射面Ｍ２と、第３部材２０３の正面と、第３部材２０３の幅方向両側の側面と、第４部材２０４の径方向外側の側面と、指針部２０５の背面と、を覆うように設けられている。光漏れ防止カバー２２は、第２部材２０２の幅方向両側の側面のうち背面側と、第２部材２０２の径方向内側の側面と、第３部材２０３の背面と、を覆うように設けられている。
【００３７】
光漏れ防止カバー２３は、第４部材２０４の幅方向両側の側面と、第４部材２０４の径方向内側の側面と、第４反射面Ｍ４と、指針部２０５の幅方向両側の側面と、指針部２０５の径方向外側の側面と、指針部２０５の正面と、を覆うように設けられている。なお、光漏れ防止カバー２３の正面には、開口２３Ａが設けられていて、導光部２０に光漏れ防止カバー２３を取り付けても指針部２０５の正面は露出される。
【００３８】
光漏れ防止カバー２１、２２、２３は各々、白色材料で設けた白色本体部（図示せず）と、本体部の外側面に設けた黒色部（図示せず）と、から構成されている。光漏れ防止カバー２１、２２、２３は、例えば白色材料で設けた本体部の外側面に黒色塗料を施して黒色部を設けても良いし、本体部と黒色部とを２色成型してもよい。このような光漏れ防止カバー２１、２２、２３を設けることにより、導光部２０の表面のうち指示部となる指針部２０５の正面を除いた部分からの光漏れを防止することができるので、照明品質の向上を図ることができる。
【００３９】
次に、上記基部１７について説明する。基部１７は、図１に示すように、合成樹脂などから構成されていて、文字板８に沿った長尺状に設けられている。そして、基部１７は、図２〜図４に示すように、導光部２０及び後述する基板１８が取り付けられる取付部１７１と、バランスウエイト部１７２と、が一体に設けられている。
【００４０】
上記取付部１７１は、第１部材２０１が搭載される底壁部１７３と、互いの間に第１部材２０１を位置付ける底壁部１７３の幅方向両端から立設する一対の立壁部１７４と、が設けられた樋状に形成されている。上記底壁部１７３のバランスウエイト部１７２から離れた側は、薄肉に設けられ、上記底壁部１７３のバランスウエイト部１７２側は、厚肉に設けられている。
【００４１】
また、上記取付部１７１には、一対のアーム１７５、１７６が径方向に沿って並べて設けられている。上記一対のアーム１７５、１７６のうち径方向外側のアーム１７５は、径方向内側の端部が一対の立壁部１７４に固定された固定端となり、径方向外側の端部が軸方向に撓む自由端となる。一方、一対のアーム１７５、１７６のうち径方向内側のアーム１７６は、径方向外側の端部が一対の立壁部１７４に固定された固定端となり、径方向内側の端部が軸方向に撓む自由端となる。
【００４２】
そして、上記一対のアーム１７５、１７６の自由端には各々、背面に向かって凸となる係止爪が設けられていて、この係止爪が導光部２０に設けられた係止突起２０１Ａ、導光部２０の受光面Ｍｊに各々係止される。このアーム１７５、１７６に設けられた係止爪は各々、互いに近づくに従って背面に近づくテーパ面が設けられている。これら一対のアーム１７５、１７６は、薄肉に設けられた底壁部１７３上に設けられている。また、図３に示すように、一対の立壁部１７４には、導光部２０の係止突起２０２Ａと係止する正面に向かって凸となる係止突起１７４Ａが設けられている。
【００４３】
次に、上述した基部１７に対する導光部２０の取り付け手順について説明する。まず、第１部材２０１の受光面Ｍｊ側の端部を基部１７の径方向外側の端部から底壁部１７３上に重ねて径方向内側に向かってスライドさせる。係止突起２０１Ａをアーム１７５の係止爪に達するまでスライドさせると、係止爪に設けたテーパ面、係止突起２０１Ａのテーパ面に沿ってアーム１７５が軸方向正面に向かって撓んで、アーム１７５が係止突起２０１Ａを乗り上げる。さらに、スライドさせると、アーム１７５が係止突起３０２Ａを乗り越えて、アーム１７５が元の位置に復元して、図２に示すように、アーム１７５の係止爪と係止突起２０１Ａとが係止される。
【００４４】
また、このとき、アーム１７６の係止爪と導光部２０の受光面Ｍｊとが係止され、さらに、図３に示すように、立壁部１７４に設けた係止突起１７４Ａと第２部材２０２に設けた係止突起２０２Ａとが係止する。
【００４５】
よって、導光部２０の第１部材２０１は、一対のアーム１７５と係止突起２０１Ａとの係止、一対のアーム１７６と受光面Ｍｊとの係止、立壁部１７４に設けた係止突起１７４Ａと第２部材２０２に設けた係止突起２０２Ａとの係止により、径方向に動かないように基部１７に固定され、一対のアーム１７５、１７６と底壁部１７３との間に位置付けられることにより、軸方向に動かないように基部１７に固定される。さらに、導光部２０の第１部材２０１は、一対の立壁部１７４間に位置付けられることにより、幅方向に動かないように基部１７に固定される。即ち、導体部２０の第１部材２０１は、基部１７に固定されている。
【００４６】
また、図２〜図４に示すように、上記肉厚の底壁部１７３の正面には、軸部１７７が突設されている。上記軸部１７７には、底壁部１７３を貫通する圧入孔１７７Ａが設けられていて、この圧入孔１７７Ａにモータ１１の回転軸１６を圧入することにより、基部１７がモータ１１の回転軸１６に取り付けられる。また、肉厚の底壁部１７３の正面には、径方向に互いに間隔を空けて並べられた一対の第１係止部としての係止突起１７８、１７９が設けられている。上記軸部１７７は、この一対の係止突起１７８、１７９の間に配置されている。
【００４７】
上記係止突起１７８は、図２に示すように、底壁部１７３から立設する立壁部１７８Ａと、この立壁部１７８Ａの正面側端部から径方向内側に向かって突出する上壁部１７８Ｂと、が一体に設けられている。係止突起１７９は、底壁部１７３から正面に向かって凸に設けられている。
【００４８】
上記バランスウエイト部１７２は、図３に示すように、基部１７の幅方向両端から突出するように設けられている。このバランスウエイト部１７２は、回転軸１６にかかる後述する基板１８、ＬＥＤ光源１９及び導光部２０の重量を相殺するためのウエイトである。
【００４９】
上記基板１８は、ＬＥＤ光源１９が実装される例えばＨＰＣ（紙フェノール基板、ガラスコンポジット基板）から構成されている。基板１８としては、熱変形防止対策として両面基板を用いてもよいし、安価な片面基板を採用しても良い。また、基板１８の端面（側面）に硬化接着材、メッキなどの熱変形防止膜（図示せず）を設けて、基板１８の熱変形を防止するようにしてもよい。基板１８の背面には、ＬＥＤ光源１９が実装されている。
【００５０】
上記基板１８は、図２〜図４に示すように、係止突起１７８、１７９と各々係止する第２係止部としての一対の係止孔１８１、１８２と、軸部１７７が挿入される軸部挿入孔１８３と、が設けられている。軸部挿入孔１８３は、一対の係止孔１８１、１８２の間に配置されている。一対の係止孔１８１、１８２と軸部挿入孔１８３とは、径方向に沿った長孔状に形成されている。また、係止突起１７８の上壁部１７８Ｂを貫通可能な大きさに設けられている。
【００５１】
次に、基部１７に対する基板１８の取り付け手順を説明する。まず、図５に示すように、基板１８のＬＥＤ光源１９側を背面側に向けて傾けた状態で、この係止孔１８１内に上壁部１７８Ｂを挿入する。このとき、軸部１７７は軸部挿入孔１８３の径方向外側に位置する。その後、係止孔１８１の径方向内側の内周面が係止突起１７８の立壁部１７８Ａに当たるまで基板１８を径方向内側に向けてスライドさせる。すると、図２に示すように、上壁部１７８Ｂの背面側に基板１８が位置付けられる。また、係止孔１８２内に係止突起１９２が挿入して、係止孔１８２の内側面に係止突起１９２が係止する。
【００５２】
よって、基板１８は、立壁部１７８Ｂ、係止突起１７９と係止孔１８１、１８２とが係止することにより、径方向に動かないように基部１７に固定され、上壁部１７８Ｂの背面に位置付けられることにより、軸方向に動かないように基部１７に固定される。さらに、基板１８は、係止孔１８１、１８２に係止突起１７８、１７９が挿入され、軸部挿入孔１８３に軸部１７７が挿入されることにより、幅方向に動かないように基部１７に固定される。即ち、基板１８は、基部１７に固定されている。このように基部１７が基板１８に固定されると、ＬＥＤ光源１９は薄肉の底壁部１７３上に配置されると共に、導光部２０の受光面Ｍｊと対向するように配置される。
【００５３】
上記ＦＰＣ１３は、メイン基板１０と基板１８との間に接続された電源供給用の電線である。ＦＰＣ１３は、図３に示すように、その幅方向がメイン基板１０３と垂直になるようにＦＰＣ１３の一端部がメイン基板１０３に接続する。
【００５４】
上記保護部材１４は、図３に示すように、樹脂などにより形成されていて、メイン基板１０の正面側にＦＰＣ１３を囲むリング状に設けられている。この保護部材１４は、指針１０５の回転に伴うＦＰＣ１３のメイン基板１０３上での可動範囲を囲むように設けられている。そして、メイン基板１０の枠体１４に囲まれた部分には、ＦＰＣ１３との干渉を防止するため電気部品が搭載されないようにしている。リング状の保護部材１４には、開口１４Ａが設けられていて、その開口１４ＡからＦＰＣ１３の端部が引き出されてメイン基板１０３に接続されている。
【００５５】
上述した表示装置１によれば、導光部２０を略Ｓ字状にして導光部２０の第１部材２０１を基部１７上に搭載して固定することにより、基部１７上に固定される第１部材２０１上に導光部２０全体の重心を持ってくることができ導光部２０のバランスが良くなる。従って、導光部２０と基部１７との係止部を大きくしなくても互いの間のガタツキが生じにくくなり、軽量化を図りつつ導光部２０とＬＥＤ光源１９との位置関係のズレを防止できる。また、ＬＥＤ光源１９を回転軸１６から近い位置に配置することができ、軽量化を図ることができる。また、基板１８を従来のように回転軸１６からＬＣＤ２の外側面よりも外側まで延在させる必要がないため、基板１８の小型化を図って軽量化を図ることができる。
【００５６】
また、上述した表示装置１によれば、第１〜第４反射面Ｍ１〜Ｍ４を設けることにより、導光部２０の発光輝度の向上を図ることができる。
【００５７】
また、上述した表示装置１によれば、第１部材２０１には、正面に向かって凸となる係止突起２０１Ａが設けられ、基部１７には、第１部材２０１が搭載される底壁部１７３と、互いの間に記第１部材２０１を位置付ける底壁１７３の端部から立設する一対の立壁部１７４と、一端が一対の立壁１７４に支持され他端が係止突起２０１Ａと係止するアーム１７５と、が設けられている。このように、基部１７に一対の立壁部１７４を設けることにより、基部１７に対する導光部２０の幅方向（一対の立壁部１７４の並び方向）のガタツキを抑えることができる。しかも、第１部材２０１の一端を基部１７の径方向外側の端部から底壁部１７３上に重ねて径方向内側に向かってスライドさせることにより、第１部材２０１の係止突起２０１Ａと基部１７のアーム１７５とを係止させることができ、基部１７に対する導光部２０の固定（組付け）を容易に行うことができる。
【００５８】
また、上述した表示装置１によれば、基部１７の正面に一対の係止突起１７８、１７９を設け、基板１８の背面に一対の係止孔１８１、１８２を設けることにより、基板１８の背面を基部１７に向けて基板１８を基部１７に近づけると、係止突起１７８、１７９と係止孔１８１、１８２とが係止されるため、基部１７に対する基板１８の固定（組付け）を容易に行うことができる。
【００５９】
また、上述した表示装置１によれば、ＦＰＣ１３は指針２の回転に応じて移動するが、枠体１４よりも外側にＦＰＣ１３が移動することがないので、メイン基板１０上の枠体１４の外に設けられた電気部品とＦＰＣ１３とが干渉することを防止できる。
【００６０】
なお、上述した表示装置１によれば、係止により基部１７に導光部２０を固定していたが、本発明はこれに限ったものではない。例えば、基部１７に圧入孔を設けて、その圧入孔に導光部２０の第１部材２０１を圧入して固定するようにしてもよい。また、基部１７と導光部２０の第１部材２０１とを熱溶着により固定するようにしてもよい。
【００６１】
また、上述した表示装置１によれば、係止により基部１７に基板１８を固定していたが、本発明はこれに限ったものではない。例えば、基板１８に圧入孔を設けて、基部１７に設けたボスを基板１８の圧入孔に圧入して、基部１７と基板１８とを固定するようにしてもよい。また、基部１７と基板１８とを熱溶着により固定するようにしてもよい。
【００６２】
また、上述した表示装置１によれば、基部１７に第１係止部としての係止突起１７８、１７９を設け、基板１８に第２係止部として係止孔１８１、１８２を設けていたが、本発明はこれに限ったものではない。第１係止部、第２係止部としては互いに係止できればよく、例えば第１係止部を凹状や穴に設けて、第２係止部を凸に設けてもよい。
【００６３】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００６４】
１        表示装置
２        ＬＣＤ（表示器）
３        目盛部
１０      メイン基板
１１      モータ
１２      指針
１３      ＦＰＣ（電線）
１６      回転軸
１７      基部
１８      基板
１９      ＬＥＤ光源（光源）
２０      導光部
１７３    底壁部
１７４    立壁部
１７５    アーム
１７８    係止突起（第１係止部）
１７９    係止突起（第１係止部）
１８１    係止孔（第２係止部）
１８２    係止孔（第２係止部）
２０１    第１部材
２０２    第２部材
２０３    第３部材
２０４    第４部材
２０５    指針部
２０１Ａ  係止突起
Ｍ１      第１反射面
Ｍ２      第２反射面
Ｍ３      第３反射面
Ｍ４      第４反射面
【図１】
0005432803.tif 000002
【図２】
0005432803.tif 000003
【図３】
0005432803.tif 000004
【図４】
0005432803.tif 000005
【図５】
0005432803.tif 000006
【図６】
0005432803.tif 000007
【図７】
0005432803.tif 000008